【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
ストリームセットを1つまたは複数のターゲットデバイスへの配信のために単一の出力ストリームに多重化するように構成されたネットワークデバイスを動作させる方法であって、
複数の異なるストリームのうちの1つに各々関連付けられる複数のデータパケットを取得するステップであって、前記複数の取得されたデータパケットの各々は、ストリーム固有のルーティング情報を有するヘッダ部分を含む、ステップと、
前記複数の取得されたデータパケットは共通のターゲットエリアに配信されることになると判断するステップと、
前記複数の取得されたデータパケットから前記ストリーム固有のルーティング情報を取り除いて、複数のストリーム固有のペイロード部分を生成するステップと、
前記複数の取得されたデータパケットの前記ヘッダ部分からの前記ストリーム固有のルーティング情報を無効にする前記複数のストリームに関する共通のルーティング情報を共通のヘッダ部分に含むストリーム多重化されたデータパケットの共有ペイロード部分に、少なくとも前記ストリーム固有のペイロード部分をマージするステップであって、前記ストリーム多重化されたデータパケットは、前記共有ペイロード部分における前記ストリーム固有のペイロード部分を前記複数の異なるストリームにマップするストリームマッピング情報を含む、ステップと、
前記ストリーム多重化されたデータパケットを、前記共通のターゲットエリア内の前記ストリーム多重化されたデータパケットの送信を処理するように構成されたネットワークエンティティに配信するステップと
を備える方法。
【請求項２】
前記複数の取得されたデータパケットに関する前記ストリーム固有のルーティング情報は、異なるインターネットプロトコル/ユーザデータグラムプロトコル(IP/UDP)アドレスセットに対応し、
前記ストリーム多重化されたデータパケットに関する前記共通のルーティング情報は、単一のIP/UDPアドレスセットを使用する、請求項1に記載の方法。
【請求項３】
前記複数の取得されたデータパケットを、インターネットプロトコル(IP)マルチキャスティングプロトコルを介して前記共通のターゲットエリアにおける1つまたは複数のターゲットユーザ機器(UE)に送信することを決定するステップ
をさらに備え、
前記配信するステップは、前記ストリーム多重化されたデータパケットを、前記共通のターゲットエリア内のIPマルチキャスト送信のためにマルチキャストネットワーク管理ノードに配信する、請求項1に記載の方法。
【請求項４】
前記複数の取得されたデータパケットを、前記IPマルチキャスティングプロトコルを介して前記1つまたは複数のターゲットUEに送信することの前記決定は、前記1つまたは複数のターゲットUEが前記共通のターゲットエリア内で地理的にコロケートされている度合いがIPマルチキャスティングしきい値に少なくとも等しいことに基づく、請求項3に記載の方法。
【請求項５】
前記マルチキャストネットワーク管理ノードは、ブロードキャストマルチキャストサービスセンター(BM-SC)に対応する、請求項3に記載の方法。
【請求項６】
前記複数の取得されたデータパケットを、インターネットプロトコル(IP)ユニキャスティングプロトコルを介して前記共通のターゲットエリアにおける1つまたは複数のターゲットユーザ機器(UE)に送信することを決定するステップ
をさらに備え、
前記配信するステップは、前記ストリーム多重化されたデータパケットを、前記共通のターゲットエリア内のIPユニキャスト送信のためにユニキャストネットワーク管理ノードに配信する、請求項1に記載の方法。
【請求項７】
前記複数の取得されたデータパケットを、前記IPユニキャスティングプロトコルを介して前記1つまたは複数のターゲットUEに送信することの前記決定は、前記1つまたは複数のターゲットUEが前記共通のターゲットエリア内で地理的にコロケートされている度合いがIPマルチキャスティングしきい値よりも小さいことに基づく、請求項6に記載の方法。
【請求項８】
前記ユニキャストネットワーク管理ノードは、パケットネットワークサービングノード(PDSN)またはパケットデータネットワークゲートウェイ(PGW)に対応する、請求項6に記載の方法。
【請求項９】
前記1つまたは複数のターゲットUEは複数のターゲットUEを含む、請求項6に記載の方法。
【請求項１０】
前記複数のターゲットUEのうちの2つ以上は、前記複数の異なるストリームの異なるセットに関心があると予想される、請求項9に記載の方法。
【請求項１１】
前記ストリームマッピング情報は、前記共有ペイロード部分における前記ストリーム固有のペイロード部分の各々に関して、そのストリーム固有のペイロード部分におけるペイロードデータを有する関連するストリームを識別するビットマスク情報に対応する、請求項1に記載の方法。
【請求項１２】
前記複数の取得されたデータパケットのうちの2つ以上は、異なるターゲットUEセットに向けられている、請求項1に記載の方法。
【請求項１３】
前記ストリーム多重化されたデータパケットのために1つまたは複数のターゲットユーザ機器(UE)に同期パケットを送信するステップ
をさらに備え、
前記同期パケットは、前記ストリームマッピング情報が、前記共有ペイロード部分の前記ストリーム固有のペイロード部分を前記複数の異なるストリームにマップするように構成される方法を示す、請求項1に記載の方法。
【請求項１４】
前記ストリームマッピング情報は、前記共有ペイロード部分の前記ストリーム固有のペイロード部分の各々に関して、そのストリーム固有のペイロード部分におけるペイロードデータを有する関連するストリームを識別するビットマスク情報に対応し、
前記同期パケットは、前記複数の異なるストリームを識別するために前記ビットマスク情報において使用されるように構成されたビットマスク識別子を示す、請求項13に記載の方法。
【請求項１５】
前記同期パケットは、前記ストリームマッピング情報の変化に応答して再送信される、請求項13に記載の方法。
【請求項１６】
前記同期パケットは、所与のストリームが前記ストリーム多重化されたデータパケットから除去されたこと、または前記ストリーム多重化されたデータパケットに追加されたことに応答して送信される、請求項13に記載の方法。
【請求項１７】
前記複数の異なるストリームのうちの少なくとも1つはマルチキャストストリームに対応する、請求項1に記載の方法。
【請求項１８】
前記複数の異なるストリームの各々は、前記共通のターゲットエリアにおいて搬送されている異なる発展型マルチメディアブロードキャスト/マルチキャストサービス(E-MBMS)サービスに関連付けられる、請求項17に記載の方法。
【請求項１９】
前記複数の異なるストリームのうちの少なくとも1つはユニキャストストリームに対応する、請求項1に記載の方法。
【請求項２０】
前記複数の異なるストリームのうちの少なくとも1つはマルチキャストストリームに対応する、請求項19に記載の方法。
【請求項２１】
前記複数の取得されたデータパケットのうちの少なくとも1つは、前記共通のターゲットエリアに、また前記共通のターゲットエリアの外の少なくとも1つのターゲットエリアにも配信されることになり、前記方法は、
前記少なくとも1つのデータパケットのストリーム固有のルーティング情報に基づいて、前記少なくとも1つのデータパケットを前記共通のターゲットエリアの外の前記少なくとも1つのターゲットエリアに配信するステップをさらに備える、請求項1に記載の方法。
【請求項２２】
前記マージするステップは、前記共通のターゲットエリアにおいて搬送されている1つまたは複数の他のユニキャストストリームおよび/またはマルチキャストストリームに関する1つまたは複数の追加のペイロード部分を、前記ストリーム多重化されたデータパケットにマージするステップをさらに含む、請求項1に記載の方法。
【請求項２３】
前記ストリームマッピング情報は、(i)前記ストリーム多重化されたデータパケットの前記共通のヘッダ部分、または(ii)前記ストリーム多重化されたデータパケットの前記共有ペイロード部分のいずれかに含まれる、請求項1に記載の方法。
【請求項２４】
前記ストリームマッピング情報は、前記ストリーム多重化されたデータパケットの前記共有ペイロード部分に含まれる、請求項23に記載の方法。
【請求項２５】
前記共有ペイロード部分は、
前記ストリーム多重化されたパケットの前記共有ペイロード部分における前記ストリーム固有のペイロード部分の数を示すフィールドと、
(i)前記ストリーム固有のペイロード部分の長さを示す長さフィールド、および(ii)関連するストリームに関する前記ストリーム固有のマッピング情報に関連する前記ストリーム固有のペイロード部分の各々と
を含む、請求項24に記載の方法。
【請求項２６】
1つまたは複数のストリームを監視するように構成されたターゲットユーザ機器(UE)を動作させる方法であって、
複数の異なるストリームに関連付けられるストリーム固有のペイロード部分を含む共有ペイロード部分および前記複数の異なるストリームに関する共通のヘッダ部分を含むストリーム多重化されたデータパケットを受信するステップであって、前記ストリーム多重化されたデータパケットは、前記共有ペイロード部分の前記ストリーム固有のペイロード部分を前記複数の異なるストリームにマップするストリームマッピング情報を含む、ステップと、
前記ストリームマッピング情報に基づいて、前記複数の異なるストリームのうちの1つまたは複数が前記ターゲットUEに関連するかどうかを判断するステップと、
前記判断に基づいて、前記1つまたは複数のストリームに対応する前記ストリーム固有のペイロード部分を選択的に復号し、処理するステップと
を備える、方法。
【請求項２７】
前記判断するステップは、
前記ストリームマッピング情報に基づいて、前記ターゲットUEに関連する前記複数の異なるストリームからのストリームセットを識別するステップ
を含み、
前記選択的に復号し、処理するステップは、
前記識別されたストリームセットに対応する前記ストリーム固有のペイロード部分を復号し、処理するステップ
を含む、請求項26に記載の方法。
【請求項２８】
前記判断するステップは、
前記ストリームマッピング情報に基づいて、前記複数の異なるストリームのいずれも前記ターゲットUEに関連しないと判断するステップ
を含み、
前記選択的に復号し、処理するステップは、
前記複数の異なるストリームのいずれも前記ターゲットUEに関連しないとの前記判断に基づいて、前記ストリーム多重化されたデータパケットにおける前記ストリーム固有のペイロード部分のいずれも復号および処理を控えるステップ
を含む、請求項21に記載の方法。
【請求項２９】
前記共通のヘッダ部分は単一のインターネットプロトコル/ユーザデータダイアグラムプロトコル(IP/UDP)アドレスセットを含む、請求項26に記載の方法。
【請求項３０】
前記受信するステップは、マルチキャストネットワーク管理ノードからインターネットプロトコル(IP)マルチキャスティングプロトコルを介して前記ストリーム多重化されたデータパケットを受信する、請求項26に記載の方法。
【請求項３１】
前記ターゲットUEは、前記複数の異なるストリームのうちの1つまたは複数に関心があると各々予想されかつIPマルチキャスティングしきい値に少なくとも等しい地理的コロケーションの度合いを集合的に有するいくつかの他のターゲットUEと地理的にコロケートされている、請求項30に記載の方法。
【請求項３２】
前記マルチキャストネットワーク管理ノードは、ブロードキャストマルチキャストサービスセンター(BM-SC)に対応する、請求項30に記載の方法。
【請求項３３】
前記受信するステップは、ユニキャストネットワーク管理ノードからインターネットプロトコル(IP)ユニキャスティングプロトコルを介して前記ストリーム多重化されたデータパケットを受信する、請求項26に記載の方法。
【請求項３４】
前記ターゲットUEは、前記複数の異なるストリームのうちの1つまたは複数に関心があると各々予想されかつIPマルチキャスティングしきい値よりも小さい地理的コロケーションの度合いを集合的に有するいくつかの他のターゲットUEと地理的にコロケートされている、請求項33に記載の方法。
【請求項３５】
前記ユニキャストネットワーク管理ノードは、パケットネットワークサービングノード(PDSN)またはパケットデータネットワークゲートウェイ(PGW)に対応する、請求項33に記載の方法。
【請求項３６】
前記複数の異なるストリームのすべてよりも少ないストリームが、前記ターゲットUEに関連すると判断され、
前記ターゲットUEに関連しない任意のマルチキャストストリームは、前記ターゲットUEと1つまたは複数の異なるターゲットUEの両方を含む共通のターゲットエリアにおける前記1つまたは複数の異なるターゲットUEに関連する、請求項21に記載の方法。
【請求項３７】
前記ストリームマッピング情報は、前記共有ペイロード部分における前記ストリーム固有のペイロード部分の各々に関して、そのストリーム固有のペイロード部分におけるペイロードデータを有する前記関連するストリームを識別するビットマスク情報に対応する、請求項26に記載の方法。
【請求項３８】
前記ストリーム多重化されたデータパケットに関する同期パケットを受信するステップ
をさらに備え、
前記同期パケットは、前記ストリームマッピング情報が、前記共有ペイロード部分の前記ストリーム固有のペイロード部分を前記複数の異なるストリームにマップするように構成される方法を示す、請求項26に記載の方法。
【請求項３９】
前記ストリームマッピング情報は、前記共有ペイロード部分の前記ストリーム固有のペイロード部分の各々に関して、そのストリーム固有のペイロード部分におけるペイロードデータを有する前記関連するストリームを識別するビットマスク情報に対応し、
前記同期パケットは、前記複数の異なるストリームを識別するために前記ビットマスク情報において使用されるように構成されたビットマスク識別子を示す、請求項38に記載の方法。
【請求項４０】
前記同期パケットは、前記ストリームマッピング情報の変化に応答して受信される、請求項38に記載の方法。
【請求項４１】
前記同期パケットは、所与のストリームが前記ストリーム多重化されたパケットから除去されたこと、または前記ストリーム多重化されたパケットに追加されたことに応答して受信される、請求項38に記載の方法。
【請求項４２】
前記複数の異なるストリームのうちの少なくとも1つはマルチキャストストリームに対応する、請求項26に記載の方法。
【請求項４３】
前記複数の異なるストリームの各々は、共通のターゲットエリアにおいて搬送されている異なる発展型マルチメディアブロードキャスト/マルチキャストサービス(E-MBMS)サービスに関連付けられる、請求項42に記載の方法。
【請求項４４】
前記ストリームマッピング情報は、(i)前記ストリーム多重化されたデータパケットの前記共通のヘッダ部分、または(ii)前記ストリーム多重化されたデータパケットの前記共有ペイロード部分のいずれかに含まれる、請求項26に記載の方法。
【請求項４５】
前記ストリームマッピング情報は、前記ストリーム多重化されたデータパケットの前記共有ペイロード部分に含まれる、請求項44に記載の方法。
【請求項４６】
前記共有ペイロード部分は、
前記ストリーム多重化されたパケットの前記共有ペイロード部分における前記ストリーム固有のペイロード部分の数を示すフィールドと、
(i)前記ストリーム固有のペイロード部分の長さを示す長さフィールド、および(ii)前記関連するストリームに関する前記ストリーム固有のマッピング情報、に関連する前記ストリーム固有のペイロード部分の各々
を含む、請求項45に記載の方法。
【請求項４７】
前記選択的に復号し、処理するステップは、
前記共有ペイロード部分を逆多重化して、前記ストリーム固有のペイロード部分の各々を抽出するステップと、
前記ストリームマッピング情報を使用して、前記抽出されたストリーム固有のペイロード部分の各々を前記複数の異なるストリームにマップするステップと、
前記ターゲットUEに関連すると判断された少なくとも1つのストリームにマップされた、前記抽出されたストリーム固有のペイロード部分のうちの少なくとも1つを識別するステップと、
前記識別された少なくとも1つのストリーム固有のペイロード部分を復号し、処理するステップと
を含む、請求項26に記載の方法。
【請求項４８】
前記判断するステップは、前記複数の異なるストリームのうちの少なくとも1つが前記ターゲットUEに関連すると判断し、
前記ターゲットUEは、前記少なくとも1つの関連するストリームに関するインターネットプロトコル/ユーザデータグラムプロトコル(IP/UDP)アドレスを提供され、
前記マップするステップは、前記複数の異なるストリームに関するIP/UDPアドレスを生成し、
前記識別された少なくとも1つのストリーム固有のペイロード部分は、前記提供されたIP/UDPアドレスのいずれかと合致するIP/UDPアドレスを有する任意のストリーム固有のペイロードを含む、請求項47に記載の方法。
【請求項４９】
ストリームセットを1つまたは複数のターゲットデバイスへの配信のために単一の出力ストリームに多重化するように構成されたネットワークデバイスであって、
複数の異なるストリームのうちの1つに各々関連付けられる複数のデータパケットを取得するための手段であって、前記複数の取得されたデータパケットの各々は、ストリーム固有のルーティング情報を有するヘッダ部分を含む、手段と、
前記複数の取得されたデータパケットは共通のターゲットエリアに配信されることになると判断するための手段と、
前記複数の取得されたデータパケットから前記ストリーム固有のルーティング情報を取り除いて、複数のストリーム固有のペイロード部分を生成するための手段と、
前記複数の取得されたデータパケットの前記ヘッダ部分からの前記ストリーム固有のルーティング情報を無効にする前記複数のストリームに関する共通のルーティング情報を共通のヘッダ部分に含むストリーム多重化されたデータパケットの共有ペイロード部分に、少なくとも前記ストリーム固有のペイロード部分をマージするための手段であって、前記ストリーム多重化されたデータパケットは、前記共有ペイロード部分における前記ストリーム固有のペイロード部分を前記複数の異なるストリームにマップするストリームマッピング情報を含む、手段と、
前記ストリーム多重化されたデータパケットを、前記共通のターゲットエリア内の前記ストリーム多重化されたデータパケットの送信を処理するように構成されたネットワークエンティティに配信するための手段と
を備えるネットワークデバイス。
【請求項５０】
1つまたは複数のストリームを監視するように構成されたターゲットユーザ機器(UE)であって、
複数の異なるストリームに関連付けられるストリーム固有のペイロード部分を含む共有ペイロード部分および前記複数の異なるストリームに関する共通のヘッダ部分を含むストリーム多重化されたデータパケットを受信するための手段であって、前記ストリーム多重化されたデータパケットは、前記共有ペイロード部分の前記ストリーム固有のペイロード部分を前記複数の異なるストリームにマップするストリームマッピング情報を含む、手段と、
前記ストリームマッピング情報に基づいて、前記複数の異なるストリームのうちの1つまたは複数が前記ターゲットUEに関連するかどうかを判断するための手段と、
前記判断に基づいて、前記1つまたは複数のストリームに対応する前記ストリーム固有のペイロード部分を選択的に復号し、処理するための手段と
を備える、ターゲットUE。
【請求項５１】
ストリームセットを1つまたは複数のターゲットデバイスへの配信のために単一の出力ストリームに多重化するように構成されたネットワークデバイスであって、
複数の異なるストリームのうちの1つに各々関連付けられる複数のデータパケットを取得するように構成された手段であって、前記複数の取得されたデータパケットの各々は、ストリーム固有のルーティング情報を有するヘッダ部分を含む、手段と、
前記複数の取得されたデータパケットは共通のターゲットエリアに配信されることになると判断するように構成された手段と、
前記複数の取得されたデータパケットから前記ストリーム固有のルーティング情報を取り除いて、複数のストリーム固有のペイロード部分を生成するように構成された手段と、
前記複数の取得されたデータパケットの前記ヘッダ部分からの前記ストリーム固有のルーティング情報を無効にする前記複数のストリームに関する共通のルーティング情報を共通のヘッダ部分に含むストリーム多重化されたデータパケットの共有ペイロード部分に、少なくとも前記ストリーム固有のペイロード部分を、マージするように構成された手段であって、前記ストリーム多重化されたデータパケットは、前記共有ペイロード部分における前記ストリーム固有のペイロード部分を前記複数の異なるストリームにマップするストリームマッピング情報を含む、手段と、
前記ストリーム多重化されたデータパケットを、前記共通のターゲットエリア内の前記ストリーム多重化されたデータパケットの送信を処理するように構成されたネットワークエンティティに配信するように構成された手段と
を備えるネットワークデバイス。
【請求項５２】
1つまたは複数のストリームを監視するように構成されたターゲットユーザ機器(UE)であって、
複数の異なるストリームに関連付けられるストリーム固有のペイロード部分を含む共有ペイロード部分および前記複数の異なるストリームに関する共通のヘッダ部分を含むストリーム多重化されたデータパケットを受信するように構成された手段であって、前記ストリーム多重化されたデータパケットは、前記共有ペイロード部分の前記ストリーム固有のペイロード部分を前記複数の異なるストリームにマップするストリームマッピング情報を含む、手段と、
前記ストリームマッピング情報に基づいて、前記複数の異なるストリームのうちの1つまたは複数が前記ターゲットUEに関連するかどうかを判断するように構成された手段と、
前記判断に基づいて、前記1つまたは複数のストリームに対応する前記ストリーム固有のペイロード部分を選択的に復号し、処理するように構成された手段と
を備える、ターゲットUE。
【請求項５３】
ストリームセットを1つまたは複数のターゲットデバイスへの配信のために単一の出力ストリームに多重化するように構成されたネットワークデバイスによって実行されるとき前記ネットワークデバイスに動作を実行させる命令を記憶している、非一時的コンピュータ可読記録媒体であって、前記命令が、
複数の異なるストリームのうちの1つに各々関連付けられる複数のデータパケットを取得することを前記ネットワークデバイスに行わせるための少なくとも1つの命令であって、前記複数の取得されたデータパケットの各々は、ストリーム固有のルーティング情報を有するヘッダ部分を含む、少なくとも1つの命令と、
前記複数の取得されたデータパケットは共通のターゲットエリアに配信されることになると判断することを前記ネットワークデバイスに行わせるための少なくとも1つの命令と、
前記複数の取得されたデータパケットから前記ストリーム固有のルーティング情報を取り除いて、複数のストリーム固有のペイロード部分を生成することを前記ネットワークデバイスに行わせるための少なくとも1つの命令と、
前記複数の取得されたデータパケットの前記ヘッダ部分からの前記ストリーム固有のルーティング情報を無効にする前記複数のストリームに関する共通のルーティング情報を共通のヘッダ部分に含むストリーム多重化されたデータパケットの共有ペイロード部分に、少なくとも前記ストリーム固有のペイロード部分をマージすることを前記ネットワークデバイスに行わせるための少なくとも1つの命令であって、前記ストリーム多重化されたデータパケットは、前記共有ペイロード部分における前記ストリーム固有のペイロード部分を前記複数の異なるストリームにマップするストリームマッピング情報を含む、少なくとも1つの命令と、
前記ストリーム多重化されたデータパケットを、前記共通のターゲットエリア内の前記ストリーム多重化されたデータパケットの送信を処理するように構成されたネットワークエンティティに配信することを前記ネットワークデバイスに行わせるための少なくとも1つの命令と
を備える、非一時的コンピュータ可読記録媒体。
【請求項５４】
1つまたは複数のストリームを監視するように構成されたターゲットユーザ機器(UE)によって実行されるとき前記ターゲットUEに動作を実行させる命令を記憶している、非一時的コンピュータ可読記録媒体であって、前記命令が、
複数の異なるストリームに関連付けられるストリーム固有のペイロード部分を含む共有ペイロード部分および前記複数の異なるストリームに関する共通のヘッダ部分を含むストリーム多重化されたデータパケットを受信することを前記ターゲットUEに行わせるための少なくとも1つの命令であって、前記ストリーム多重化されたデータパケットは、前記共有ペイロード部分の前記ストリーム固有のペイロード部分を前記複数の異なるストリームにマップするストリームマッピング情報を含む、少なくとも1つの命令と、
前記ストリームマッピング情報に基づいて、前記複数の異なるストリームのうちの1つまたは複数が前記ターゲットUEに関連するかどうかを判断することを前記ターゲットUEに行わせるための少なくとも1つの命令と、
前記判断に基づいて、前記1つまたは複数のストリームに対応する前記ストリーム固有のペイロード部分を選択的に復号し、処理することを前記ターゲットUEに行わせるための少なくとも1つの命令と
を備える、非一時的コンピュータ可読記録媒体。